(57)【要約】【課題】未知の光ディスクのディスク情報をメーカーに送ってメーカー側で記録ストラテジ情報を開発できるようにした光ディスク記録再生装置を提供する。【解決手段】未記録の光ディスクが挿入されると、当該光ディスクのＭＩＤがＦＷ内のライトストラテジ情報に有るＭＩＤと一致するか否かによって、挿入された当該光ディスクがライトストラテジの未登録で未知の光ディスクであるか否かが判定される。当該光ディスクが未知の光ディスクであると判定されたときは、当該光ディスクは未知ディスクであるというメッセージが表示され、この後、当該光ディスクのＭＩＤを含むディスク情報をサーバーに送るかどうかのメッセージが表示される。そして送信する方が選択されると、当該光ディスクのディスク情報がサーバーに送信される。これにより、メーカー側で未知の光ディスクに対するライトストラテジ情報の開発に役立てることができる。【選択図】図３
2007226882.tif 000002
【特許請求の範囲】
【請求項１】
挿入された光ディスクの種類を判別し、この判別した光ディスクに適したライトストラテジに従って光ディスクに対して情報の書き込みを行う光ディスク記録再生装置において、
当該光ディスクの製造者識別情報がファームウェア内のライトストラテジ情報に有る製造者識別情報と一致するか否かによって、挿入された当該光ディスクがライトストラテジの未登録で未知の光ディスクであるか否かを判定するディスク判定手段と、
当該光ディスクはライトストラテジが未登録で未知の光ディスクであると判定されたとき、当該光ディスクは未知の光ディスクであるというメッセージを表示手段に表示させる未知ディスクメッセージ表示手段と、
当該光ディスクは未知の光ディスクであるというメッセージを表示手段に表示させた後、当該光ディスクの製造者識別情報を含むディスク情報をネットワーク経由でサーバーに送るかどうかのメッセージを表示手段に表示させる送信メッセージ表示手段と、
当該光ディスクのディスク情報をサーバーに送ることが指示されたときに、当該光ディスクのディスク情報を前記サーバーに送信させるディスク情報送信手段と、を有するシステムコントローラを備えたことを特徴とする光ディスク記録再生装置。
【請求項２】
挿入された光ディスクの種類を判別し、この判別した光ディスクに適したライトストラテジに従って光ディスクに対して情報の書き込みを行う光ディスク記録再生装置において、
挿入された当該光ディスクがライトストラテジの未登録で未知の光ディスクであると判定したとき、当該光ディスクは未知の光ディスクであるというメッセージを表示手段に表示させ、この後、当該光ディスクの製造者識別情報を含むディスク情報をサーバーに送るかどうかのメッセージを表示手段に表示させ、当該光ディスクのディスク情報をサーバーに送ることが指示されたときに、当該光ディスクのディスク情報を前記サーバーに送信させる制御を行うシステムコントローラを備えたことを特徴とする光ディスク記録再生装置。
【請求項３】
前記システムコントローラは、当該光ディスクの製造者識別情報がファームウェア内のライトストラテジ情報に有る製造者識別情報と一致するか否かによって、挿入された当該光ディスクがライトストラテジの未登録で未知の光ディスクであるか否かを判定するディスク判定手段と、当該光ディスクはライトストラテジが未登録で未知の光ディスクであると判定されたとき、当該光ディスクは未知の光ディスクであるというメッセージを表示手段に表示させる未知ディスクメッセージ表示手段と、当該光ディスクは未知の光ディスクであるというメッセージを表示手段に表示させた後、当該光ディスクの製造者識別情報を含むディスク情報をネットワーク経由でサーバーに送るかどうかのメッセージを表示手段に表示させる送信メッセージ表示手段と、当該光ディスクのディスク情報をサーバーに送ることが指示されたときに、当該光ディスクのディスク情報を前記サーバーに送信させるディスク情報送信手段とを有することを特徴とする請求項２に記載の光ディスク記録再生装置。
【発明の詳細な説明】
【技術分野】
【０００１】
本発明は、挿入された光ディスクの種類を判別し、この判別した光ディスクに適したライトストラテジに従って光ディスクに対して情報の書き込みを行う光ディスク記録再生装置に関し、特に、未知の光ディスクに対するライトストラテジ情報の開発を可能にする光ディスク記録再生装置に関する。
【背景技術】
【０００２】
近年、映画等のような大量の映像音声データなどの情報を記録することができる光ディスクとしてＤＶＤ（デジタル・バーサタイル・ディスク）が普及しつつある。ＤＶＤの種類としては、メーカー側で情報が記録され、ユーザー側では書き換えができないＤＶＤ−ＲＯＭ、ユーザー側で情報を１回だけ書き込み可能なＤＶＤ−Ｒ、ユーザー側で書き換え可能なＤＶＤ−ＲＷ（ＤＶＤ−ＲＡＭ）などが知られている。
【０００３】
ＤＶＤ−ＲやＤＶＤ−ＲＷの光ディスクは、情報を記録する溝からなるグループ部と、溝と溝との間のランド部とから構成されており、ディスクメーカーの推奨ライトストラテジなどがランド部に記録されている。これらの光ディスクには、ピットとランドとの組み合わせでデータが記録されるが、例えば、ＤＶＤ−Ｒの光ディスクに情報を記録する場合は、所定のパルス幅のライトパルスによる駆動電流がレーザ駆動部から光ピックアップのレーザダイオードに印加され、そのレーザ光を所定の記録速度で回転する光ディスクの記録面に照射することで行われる。この光ディスクに情報を書き込む場合、ライトストラテジと呼ばれるレーザパルス制御が利用される。このライトストラテジには、ディスク再生時に最適になるようにレーザパルスを制御するための情報が含まれ、光ディスクの記録特性に応じてライトパルス幅を増減させたり、ライトパルスのタイミングを最適化させたりする情報が含まれる。
【０００４】
ところで、ＤＶＤ−Ｒなどのような書き込み可能な光ディスクは様々なディスクメーカーから提供されている。それらの光ディスクはディスクメーカーによって記録特性が異なるため、それぞれに適したライトストラテジで書き込みを行う必要がある。従来の光ディスク記録再生装置では、予め各種ディスクの書き込みテストを行って、各ディスク毎に最適なライトストラテジを調べ、光ディスク毎のＭＩＤ（Manufacture ID）と、それに適したライトストラテジ情報を対応付けてファームウェア内に格納する。そして、システムコントローラは、光ディスクがローディングされた際にＭＩＤを読み込み、このＭＩＤと対応付けられるライトストラテジ情報に基づきデータの記録制御を行っている。
【特許文献１】特開２００４−１９２７０７号公報
【特許文献２】特開２００５−５０４１１号公報
【特許文献３】特開２００５−２９３６７３号公報
【発明の開示】
【発明が解決しようとする課題】
【０００５】
しかしながら、光ディスク記録再生装置では、世間の全ての光ディスクを網羅できるわけではないため、ファームウェアで持っているライトストラテジ情報に該当しない光ディスクが挿入される可能性があり、そのため、もし、その光ディスクにおいて、ファームウェアが持っているライトストラテジ情報内で一致するＭＩＤがなければ、その光ディスクは未知の光ディスクとして扱われる。したがって、光ディスク記録装置においては、フラッシュメモリに登録されている一律のライトストラテジで光ピックアップのレーザパルスを制御し、その光ディスクに情報を記録するが、最適なライトストラテジで記録を行うわけではないので、記録品質が低下し、これにより再生品質も低下することになる。
【０００６】
そこで、このような未知の光ディスクが挿入された場合、ＭＩＤを含むディスク情報を光ディスク記録再生装置のメーカーに伝えて、メーカーでライトストラテジ情報の開発に役立てることができるようにしたいが、従来の光ディスク記録再生装置では、未知の光ディスクが挿入されてもユーザーは、その光ディスクが未知の光ディスクであることを知ることができないし、そのＭＩＤを含むディスク情報をメーカーに送る手段がないため、メーカーで未知の光ディスクに対するライトストラテジ情報の開発を行うことができないという課題があった。
【０００７】
なお、特許文献１の従来技術では、光ディスク装置がホストコンピュータと接続され、ホストコンピュータに記憶されているライトストラテジ情報から最適なライトストラテジを受信し、受信したライトストラテジに従って光ディスクへの情報の書き込みを行っているが、未知の光ディスクに対するライトストラテジ情報がホストコンピュータに記憶されているわけではなく、また、未知の光ディスクに対するライトストラテジ情報は、装置のメーカーで開発しない限り、精度の高いものが得られないが、この従来技術は、未知の光ディスクのディスク情報をメーカーに送って、メーカー側でライトストラテジ情報を開発することができるようにしたものではないので、上記のような課題を解決することができない。
【０００８】
特許文献２の従来技術では、識別した光ディスクの最適記録条件が記憶されていないとき（未知の光ディスクであるとき）、試し書きを行い、その記録条件を評価し、評価した結果により、最適記録パワーを決定して、そのときの記録速度と記録ストラテジパラメータ（ライトストラテジ情報）をストラテジ記憶手段に格納するものであるが、未知の光ディスクに対するライトストラテジ情報は、装置のメーカーで開発しない限り、精度の高いものが得られないが、この従来技術は、未知の光ディスクのディスク情報をメーカーに送って、メーカー側でライトストラテジ情報を開発することができるようにしたものではないので、上記のような課題を解決することができない。
【０００９】
特許文献３の従来技術では、ディスクに記録されているディスクＩＤを認識することによって、記録ストラテジデータが記憶されている記憶手段に記憶されているディスクＩＤと合致しないディスクＩＤが記録されているディスクを使用するとき、そのディスクにテスト信号を、記録ストラテジを変更しながら記録した後、記録された信号を再生し、記録特性が最適と判定された信号を記録した記録ストラテジデータをコンピューター装置に設けられているメモリー手段に記憶させるようにしているが、未知の光ディスクに対する記録ストラテジデータは、装置のメーカーで開発しない限り、精度の高いものが得られないが、この従来技術は、未知の光ディスクのディスク情報をメーカーに送って、メーカー側で記録ストラテジ情報を開発することができるようにしたものではないので、上記のような課題を解決することができない。
【００１０】
本発明は、上記のような課題を解決するためになされたもので、未知の光ディスクのＭＩＤを含むディスク情報をメーカーに送って、メーカー側でライトストラテジ情報を開発することができるようにした光ディスク記録再生装置を提供することを目的とする。
【課題を解決するための手段】
【００１１】
上記目的を達成するために、請求項１の発明は、挿入された光ディスクの種類を判別し、この判別した光ディスクに適したライトストラテジに従って光ディスクに対して情報の書き込みを行う光ディスク記録再生装置において、当該光ディスクの製造者識別情報がファームウェア内のライトストラテジ情報に有る製造者識別情報と一致するか否かによって、挿入された当該光ディスクがライトストラテジの未登録で未知の光ディスクであるか否かを判定するディスク判定手段と、当該光ディスクはライトストラテジが未登録で未知の光ディスクであると判定されたとき、当該光ディスクは未知の光ディスクであるというメッセージを表示手段に表示させる未知ディスクメッセージ表示手段と、当該光ディスクは未知の光ディスクであるというメッセージを表示手段に表示させた後、当該光ディスクの製造者識別情報を含むディスク情報をネットワーク経由でサーバーに送るかどうかのメッセージを表示手段に表示させる送信メッセージ表示手段と、当該光ディスクのディスク情報をサーバーに送ることが指示されたときに、当該光ディスクのディスク情報を前記サーバーに送信させるディスク情報送信手段とを有するシステムコントローラを備えたことを特徴とする光ディスク記録再生装置を提供する。
【００１２】
この構成において、未記録の光ディスクが挿入されると、ディスク判定手段は、当該光ディスクの製造者識別情報がファームウェア内のライトストラテジ情報に有る製造者識別情報と一致するか否かによって、挿入された当該光ディスクがライトストラテジの未登録で未知の光ディスクであるか否かを判定する。当該光ディスクが未知の光ディスクであると判定されたときは、未知ディスクメッセージ表示手段は、当該光ディスクは未知ディスクであるというメッセージを表示手段に表示する。
【００１３】
この後、送信メッセージ表示手段は、当該光ディスクの製造者識別情報を含むディスク情報をサーバーに送るかどうかのメッセージを表示手段に表示させる。そして、ユーザー操作により、送信する方が選択されると、ディスク情報送信手段は、フラッシュメモリに記憶されている当該光ディスクのディスク情報を読み出し、サーバーに送信する。
【００１４】
したがって、この構成によれば、光ディスク記録再生装置からの未知の光ディスクのディスク情報をサーバー側のデータベースに登録しておくことにより、世間に出回っている未知の光ディスクの状況を把握し、未知の光ディスクに対するライトストラテジ情報の開発に役立てることができる。即ち、ユーザーの使用している光ディスク記録再生装置に未知の光ディスクが挿入された場合、そのディスク情報をメーカーに送って、メーカー側で、その光ディスクのライトストラテジ情報を開発することができるようになり、これにより、多種の光ディスクに対しても記録品質の高い光ディスク記録再生装置の製品を提供することができる。
【００１５】
請求項２の発明は、挿入された光ディスクの種類を判別し、この判別した光ディスクに適したライトストラテジ情報に従って光ディスクに対して情報の書き込みを行う光ディスク記録再生装置において、挿入された当該光ディスクがライトストラテジ情報の未登録で未知の光ディスクであると判定したとき、当該光ディスクは未知の光ディスクであるというメッセージを表示手段に表示させ、この後、当該光ディスクの製造者識別情報を含むディスク情報をサーバーに送るかどうかのメッセージを表示手段に表示させ、当該光ディスクのディスク情報をサーバーに送ることが指示されたときに、当該光ディスクのディスク情報を前記サーバーに送信させる制御を行うシステムコントローラを備えたことを特徴とする光ディスク記録再生装置を提供する。
【００１６】
この構成において、挿入された当該光ディスクがライトストラテジ情報の未登録で未知の光ディスクであると判定されたとき、当該光ディスクは未知の光ディスクであるというメッセージが表示手段に表示される。この後、当該光ディスクの製造者識別情報を含むディスク情報をサーバーに送るかどうかのメッセージが表示手段に表示され、当該光ディスクのディスク情報をサーバーに送ることが指示されたときに、当該光ディスクのディスク情報が前記サーバーに送信される。
【００１７】
したがって、この構成によれば、光ディスク記録再生装置からの未知の光ディスクのディスク情報をサーバー側のデータベースに登録しておくことにより、世間に出回っている未知の光ディスクの状況を把握し、未知の光ディスクに対するライトストラテジ情報の開発に役立てることができる。即ち、ユーザーの使用している光ディスク記録再生装置に未知の光ディスクが挿入された場合、そのディスク情報をメーカーに送って、メーカー側で、その光ディスクのライトストラテジ情報を開発することができるようになり、これにより、多種の光ディスクに対しても記録品質の高い光ディスク記録再生装置の製品を提供することができる。
【００１８】
請求項３の発明では、請求項２の発明において、前記システムコントローラは、当該光ディスクの製造者識別情報がファームウェア内のライトストラテジ情報に有る製造者識別情報と一致するか否かによって、挿入された当該光ディスクがライトストラテジの未登録で未知の光ディスクであるか否かを判定するディスク判定手段と、当該光ディスクはライトストラテジが未登録で未知の光ディスクであると判定されたとき、当該光ディスクは未知の光ディスクであるというメッセージを表示手段に表示させる未知ディスクメッセージ表示手段と、当該光ディスクは未知の光ディスクであるというメッセージを表示手段に表示させた後、当該光ディスクの製造者識別情報を含むディスク情報をネットワーク経由でサーバーに送るかどうかのメッセージを表示手段に表示させる送信メッセージ表示手段と、当該光ディスクのディスク情報をサーバーに送ることが指示されたときに、当該光ディスクのディスク情報を前記サーバーに送信させるディスク情報送信手段とを有する。
【００１９】
したがって、前記システムコントローラは、ディスク判定処理、未知ディスクメッセージ表示処理、送信メッセージ表示処理、およびディスク情報送信処理を実現でき、これにより、光ディスク記録再生装置からの未知の光ディスクのディスク情報をサーバー側に送ることが可能になる。
【発明の効果】
【００２０】
以上のように本発明によれば、挿入された光ディスクの種類を判別し、この判別した光ディスクに適したライトストラテジに従って光ディスクに対して情報の書き込みを行う光ディスク記録再生装置において、当該光ディスクの製造者識別情報がファームウェア内のライトストラテジ情報に有る製造者識別情報と一致するか否かによって、挿入された当該光ディスクがライトストラテジの未登録で未知の光ディスクであるか否かを判定するディスク判定手段と、当該光ディスクはライトストラテジが未登録で未知の光ディスクであると判定されたとき、当該光ディスクは未知の光ディスクであるというメッセージを表示手段に表示させる未知ディスクメッセージ表示手段と、当該光ディスクは未知の光ディスクであるというメッセージを表示手段に表示させた後、当該光ディスクの製造者識別情報を含むディスク情報をネットワーク経由でサーバーに送るかどうかのメッセージを表示手段に表示させる送信メッセージ表示手段と、当該光ディスクのディスク情報をサーバーに送ることが指示されたときに、当該光ディスクのディスク情報を前記サーバーに送信させるディスク情報送信手段とを有するシステムコントローラを備えたので、光ディスク記録再生装置からの未知の光ディスクのディスク情報をサーバー側のデータベースに登録しておくことにより、世間に出回っている未知の光ディスクの状況を把握し、未知の光ディスクに対するライトストラテジ情報の開発に役立てることができる。即ち、ユーザーの使用している光ディスク記録再生装置に未知の光ディスクが挿入された場合、そのディスク情報をメーカーに送って、メーカー側で、その光ディスクのライトストラテジ情報を開発することができるようになり、これにより、多種の光ディスクに対しても記録品質の高い光ディスク記録再生装置の製品を提供することができる。
【００２１】
また、本発明によれば、挿入された光ディスクの種類を判別し、この判別した光ディスクに適したライトストラテジに従って光ディスクに対して情報の書き込みを行う光ディスク記録再生装置において、挿入された当該光ディスクがライトストラテジの未登録で未知の光ディスクであると判定したとき、当該光ディスクは未知の光ディスクであるというメッセージを表示手段に表示させ、この後、当該光ディスクの製造者識別情報を含むディスク情報をサーバーに送るかどうかのメッセージを表示手段に表示させ、当該光ディスクのディスク情報をサーバーに送ることが指示されたときに、当該光ディスクのディスク情報を前記サーバーに送信させる制御を行うシステムコントローラを備えたので、光ディスク記録再生装置からの未知の光ディスクのディスク情報をサーバー側のデータベースに登録しておくことにより、世間に出回っている未知の光ディスクの状況を把握し、未知の光ディスクに対するライトストラテジ情報の開発に役立てることができる。即ち、ユーザーの使用している光ディスク記録再生装置に未知の光ディスクが挿入された場合、そのディスク情報をメーカーに送って、メーカー側で、その光ディスクのライトストラテジ情報を開発することができるようになり、これにより、多種の光ディスクに対しても記録品質の高い光ディスク記録再生装置の製品を提供することができる。
【発明を実施するための最良の形態】
【００２２】
以下、添付図面を参照しつつ、本発明の実施の形態について説明する。図１は本発明の一実施形態に係る光ディスク記録再生装置の構成を示すブロック図である。
【００２３】
この光ディスク記録再生装置Ａは、挿入された光ディスク１、光ピックアップ２、スピンドルモータ３、スピンドルモータ駆動回路４、レーザ駆動回路５、ライトストラテジ回路６、エンコーダ７、インタフェース回路８、オートパワー制御回路９、サーボプロセッサ１０、システムコントローラ１１、フラッシュメモリ１２、および操作部１３から構成される。インタフェース回路８には、外部の接続先であるサーバーＢ側のホストコンピュータ２１が接続され、ホストコンピュータ２１には、ライトストラテジのデータを蓄積・管理するライトストラテジデータ管理部２２が所定のバスを介して接続される。
【００２４】
システムコントローラ１１は、本実施形態の特徴とする構成要素として、当該光ディスクの製造者識別情報がファームウェア内のライトストラテジ情報に有る製造者識別情報と一致するか否かによって、挿入された当該光ディスクがライトストラテジの未登録で未知の光ディスクであるか否かを判定するディスク判定手段と、当該光ディスクはライトストラテジが未登録で未知の光ディスクであると判定されたとき、当該光ディスクは未知の光ディスクであるというメッセージをディスプレイ装置１４に表示させる未知ディスクメッセージ表示手段と、当該光ディスクは未知の光ディスクであるというメッセージをディスプレイ装置１４に表示させた後、当該光ディスクの製造者識別情報を含むディスク情報をネットワーク経由でサーバーＢに送るかどうかのメッセージをディスプレイ装置１４に表示させる送信メッセージ表示手段と、当該光ディスクのディスク情報をサーバーＢに送ることが指示されたときに、当該光ディスクのディスク情報をサーバーＢに送信させるディスク情報送信手段とを有する。
【００２５】
このように構成された光ディスク記録再生装置Ａにおいて、光ディスク１が挿入されると、記録／再生動作時に、スピンドルモータ３によって一定線速度（ＣＬＶ）もしくは一定角速度（ＣＡＶ）で回転駆動される。そして、光ピックアップ２によって光ディスク１上のピットデータ（相変化ピットあるいは有機色素変化（反射率変化））によるピット）の読み出しが行われる。サーボプロセッサ１０は、図示しないＲＦアンプからのフォーカスエラー信号およびトラッキングエラー信号などに基づいて、フォーカス、トラッキング、スレッド、スピンドルの各種サーボドライブ信号を生成し、サーボ動作を実行させる。
【００２６】
サーボプロセッサ１０は、更にスピンドルモータ駆動回路４に対してスピンドルエラー信号に応じて生成されたスピンドル駆動信号を供給する。スピンドルモータ駆動回路４は、スピンドル駆動信号に応じて、例えば３相駆動信号をスピンドルモータ３に印加してスピンドルモータ３のＣＬＶ回転またはＣＡＶ回転を実行させる。オートパワー制御回路９は、光ピックアップ２内のレーザダイオードからの出力光の一部が受光されるモニタ用ディテクタの出力によりレーザ出力パワーをモニタしながらレーザの出力が温度などによらず一定になるように制御する。
【００２７】
エンコーダ７は、データ記録時におけるエンコード機能を有し、所定のＥＦＭ（Eight to Fourteen Modulation）信号を生成する。ＥＦＭ信号は、「３Ｔ」から「１１Ｔ」までの物理的な長さとスペースから成り立つ信号で、例えば、図２（ａ）に示しように表される。図２（ａ）は、ＥＦＭ信号の一例を示したもので、３Ｔの長さのパルスで構成されたＥＦＭ信号（３Ｔ−ＥＦＭ信号）を示したものである。また、ＥＦＶ信号は、ＯＰＣ（光パワーコントロール）において、テストエリアへの試し書きの際のレーザ出力調整に用いられる。
【００２８】
ライトストラテジ回路６は、エンコーダ７から出力されるＥＦＭ信号を、システムコントローラ１１を介してフラッシュメモリ１２から読み出されたライトストラテジ情報を考慮して図２（ｂ）に示すような波形を有する記録パルス信号に変換する。この記録パルス信号は、記録信号波形（書き込み波形）と呼ばれ、ＥＦＭ信号の立ち上がりから時間Ｔ１の遅れを持って立ち上がり、Ｔ２の期間に渡り、記録パワーＰＷよりレベルＰ１だけ高い記録パワーを維持し、その後、ＥＦＭ変調信号の立ち下がりまで、記録パワーＰＷのレベルが保たれるようになっている。ライトストラテジ回路６は、前記記録パルス信号を基にレーザ駆動パルスを生成し、レーザ駆動回路５に送る。このレーザ駆動回路５は、光ピックアップ２のレーザ光のライトパルス幅を光ディスク１の記録特性に応じて増減させたり、ライトパルスのタイミングを最適化させたりして、光ディスク１に情報を書き込む。
【００２９】
図３は本実施形態の光ディスク記録再生装置において記録処理を説明するためのフローチャートである。このフローチャートおよび図１を参照して記録処理について説明する。
【００３０】
ここでは、光ディスク１が未記録の光ディスクであるとして説明する。この未記録の光ディスク１が光ディスク記録再生装置Ａに挿入されると、システムコントローラ２２は、光ディスク１の挿入を検知し（ステップＳ１）、光ディスク１を少し回転させると共に光ピックアップ２を駆動させ、リードイン（Ｌｅａｄ−ｉｎ）領域 からディスク情報を読み出す処理である所謂ディスクスピンアップ処理を行い（ステップＳ２）、そのディスク情報をフラッシュメモリ１２に記憶しておく。
【００３１】
システムコントローラ２２のディスク判定手段は、当該光ディスク１のＭＩＤ（製造者識別情報）がフラッシュメモリ１２に記憶されているＦＷ（ファームウェア）内のライトストラテジ情報に有るＭＩＤと一致するか否かによって、挿入された当該光ディスク１がライトストラテジの未登録で未知の光ディスクであるか否かを判定する（ステップＳ３）。当該光ディスク１のＭＩＤがＦＷのＭＩＤと一致すると判定されたときは、ディスク判定手段は、当該光ディスク１はライトストラテジ情報がＦＷに登録されている光ディスクであると判定する（ステップＳ４）。
【００３２】
この後、操作部１３の記録キーが押下されることにより（ステップＳ５）、システムコントローラ１１は、記録操作がされたことを検知すると（ステップＳ６）、フラッシュメモリ１２に予め登録されている最適なライトストラテジ情報で光ピックアップ２のレーザパルスを制御し、当該光ディスク１に情報を記録する（ステップＳ６）。この記録が終了すると（ステップＳ７）、本処理は終了する。
【００３３】
一方、ステップＳ３において、当該光ディスク１のＭＩＤがＦＷ内のＭＩＤと一致しなかったと判定されたときは、ディスク判定手段は、当該光ディスク１はライトストラテジ情報が未登録で未知の光ディスクであると判定する（ステップＳ８）。このとき、システムコントローラ１１の未知ディスクメッセージ表示手段は、当該光ディスク１は未知ディスクであるというメッセージをディスプレイ装置１４に表示する（ステップＳ９）。
【００３４】
この後、システムコントローラ１１の送信メッセージ表示手段は、当該光ディスク１のＭＩＤを含むディスク情報をネットワーク経由でサーバーＢに送るかどうかのメッセージをディスプレイ装置２０に表示させる（ステップＳ１０）。そして、ユーザーによる操作部１３の操作により、送信する方が選択されると（ステップＳ１１）、システムコントローラ１１のディスク情報送信手段は、フラッシュメモリ１２に記憶されている当該光ディスク１のディスク情報を読み出し、サーバーＢに送信する（ステップＳ１２）。
【００３５】
なお、ステップＳ９において、当該光ディスク１が未知ディスクであると表示されているときに、システムコントローラ１１は、ユーザーによる操作部１３の操作により記録操作がされたことを検知すると（ステップＳ１３）、フラッシュメモリ１２に登録されている一律のライトストラテジ情報で光ピックアップ２のレーザパルスを制御し、当該光ディスク１に情報を記録する（ステップＳ１４）。この記録が終了すると（ステップＳ１５）、本処理は終了する。
【００３６】
図４は本実施形態においてサーバー側の受信処理を説明するためのフローチャートである。このフローチャートおよび図１を参照してサーバー側の受信処理について説明する。
【００３７】
前述したように、当該光ディスク１は未知ディスクであるというメッセージがディスプレイ装置１４に表示され、当該光ディスク１のＭＩＤを含むディスク情報がネットワーク経由でサーバーＢに送るかどうかのメッセージがディスプレイ装置２０に表示され、そして、ユーザーによる操作部１３の操作により、送信する方が選択されて、当該光ディスク１のディスク情報が光ディスク記録再生装置ＡからサーバーＢ側に送信されると、サーバーＢ側のホストコンピュータ２１は、そのディスク情報を受信すると（ステップＮ１）、ライトストラテジ情報管理部２２のデータベースに、そのディスク情報を登録する（ステップＮ２）。
【００３８】
このようにサーバーＢ側で未知の光ディスクのディスク情報をデータベースに登録しておくことにより、世間に出回っている未知の光ディスクの状況を把握し、未知の光ディスクに対するライトストラテジ情報の開発に役立てることができる。
【００３９】
以上説明したように本実施形態によれば、光ディスク記録再生装置Ａからの未知の光ディスクのＭＩＤを含むディスク情報をサーバーＢへ送信できるようにすることにより、サーバーＢでは、未知の光ディスクのＭＩＤを含むディスク情報をライトストラテジ情報管理部２２のデータベースに登録しておくことができ、これにより、世間に出回っている未知の光ディスクの状況を把握でき、未知の光ディスクに対するライトストラテジ情報の開発に役立てることができる。即ち、ユーザーの使用している光ディスク記録再生装置に未知の光ディスクが挿入された場合、そのディスク情報をメーカーに送って、メーカー側で、その光ディスクのライトストラテジ情報を開発することができるようになり、これにより、多種の光ディスクに対しても記録品質の高い光ディスク記録再生装置の製品を提供することができるようになる。
【産業上の利用可能性】
【００４０】
本発明は、ネットワーク機能を有するＤＶＤレコーダなどの光ディスク記録再生装置に、未知の光ディスクに対するＭＩＤを含むディスク情報をサーバーに送信するようにしたことにより、メーカー側で、その光ディスクのライトストラテジ情報を開発することができるようになり、多種の光ディスクに対しても記録品質の高い光ディスク記録再生装置の製品を提供するために利用できる。
【図面の簡単な説明】
【００４１】
【図１】本発明の一実施形態に係る光ディスク記録再生装置の構成を示すブロック図である。
【図２】前記実施形態においてエンコーダから出力されるＥＦＭ信号とライトパルスの対応関係を説明するための信号波形図である。
【図３】前記実施形態の光ディスク記録再生装置において記録処理を説明するためのフローチャートである。
【図４】前記実施形態においてサーバー側の受信処理を説明するためのフローチャートである。
【符号の説明】
【００４２】
Ａ    光ディスク記録再生装置
Ｂ    サーバー
１    光ディスク
１１    システムコントローラ（ディスク判定手段、未知ディスクメッセージ表示手段、送信メッセージ表示手段、ディスク情報送信手段）
１４    ディスプレイ装置（表示手段）
【図１】
2007226882.tif 000003
【図２】
2007226882.tif 000004
【図３】
2007226882.tif 000005
【図４】
2007226882.tif 000006